(57)【要約】【課題】映像に生じる輝度のバラツキを視認しにくくする表示デバイスを提供する。【解決手段】表示データを入力するデータ入力部３１と、画素データを並び換えるデータ並び換え処理部３２と、駆動電圧信号を生成する駆動ドライバ３３と、データ並び換え処理部３２を制御する制御部３４とが設けられた駆動ドライバ基板３と、駆動電圧信号をパネル基板５へ伝送する信号配線４１〜４６が設けられた配線基板４と、データ線とゲート線との交差部に画素が接続された表示パネル５１と、各データ線に駆動電圧信号を順次供給するデータ線ドライバ５２と、信号配線４１〜４６から伝送されてくる駆動電圧信号をデータ線ドライバ５２に供給する接続配線５４１〜５４６と、制御部３４の制御に応じて、接続配線５４１〜５４６に接続する信号配線４１〜４６を切り換える配線切換部５５とが設けられたパネル基板５とを備える。【選択図】  図３
2008299003.tif 000002
【特許請求の範囲】
【請求項１】
列方向に並んだ複数のデータ線と行方向に並んだ複数のゲート線との交差部に接続された複数の画素からなる表示パネルと、上記表示パネル上の列方向に連続して並んだ所定数の画素からなる画素群毎に、該表示パネルの各データ線に接続された画素に印加するための駆動電圧信号を順次供給するパネルドライバとが設けられたパネル基板を備える表示デバイスにおいて、
所定の走査方向に並んだ複数の画素データからなる表示データを入力する入力手段と、上記入力手段により入力される上記画素群を構成する各画素データを該画素群内で並び換えるデータ並び換え手段と、上記データ並び換え手段により並び換えた各画素データに応じた上記駆動電圧信号を上記画素群毎に生成する生成手段と、上記データ並び換え手段により並び換えられる画素データのデータ配列を制御する制御手段とが設けられた駆動ドライバ基板と、
上記駆動ドライバ基板に設けられた上記生成手段により生成される駆動電圧信号を上記画素群毎に上記パネル基板へ伝送する複数の信号配線が並列して設けられた配線基板とを備え、
上記パネル基板には、上記配線基板に設けられた複数の信号配線から伝送されてくる上記駆動電圧信号を上記パネルドライバに供給する複数の接続配線と、上記走査方向に並んだ画素データから生成される駆動電圧信号が上記表示パネルの列方向に連続して並んだデータ線に供給されるように、上記制御手段により制御された画素データのデータ配列に応じて、上記接続配線に接続する上記信号配線を切り換える切換手段とが設けられている表示デバイス。
【請求項２】
上記制御手段は、上記データ並び換え手段により画素データが並び換えられるデータ配列を、上記表示パネルの行方向に連続して並んだ画素列単位で変化させることを特徴とする請求項１記載の表示デバイス。
【請求項３】
上記制御手段は、上記データ並び換え手段により画素データが並び換えられるデータ配列を、上記入力手段に入力される表示データを構成するフレーム単位で変化させることを特徴とする請求項１記載の表示デバイス。
【請求項４】
上記表示パネルは、少なくとも片側の基板が透明である２枚の電極を配した基板を対向させ、これら対向させた基板間に液晶を挟持した上記複数の画素からなり、この挟持した液晶に上記駆動電圧信号を印加することを特徴とする請求項１記載の表示デバイス。
【請求項５】
上記表示パネルは、蛍光体を塗布したアノード基板と電界電子放出素子を有するカソード基板とを対向させるとともに、この対向させた基板間を真空にした上記複数の画素からなり、上記駆動電圧信号を印加した上記カソード基板から放出した電子により上記蛍光体を発光させることを特徴とする請求項１記載の表示デバイス。
【請求項６】
上記表示パネルは、少なくとも片側の基板が透明である２枚の電極を配した基板を対向させるとともに、この対向させた基板間に有機物を挟持した上記複数の画素からなり、この挟持した有機物に駆動電圧を印加することで発光させることを特徴とする請求項１記載の表示デバイス。
【請求項７】
上記表示パネルは、少なくとも片側の基板が透明である２枚の電極を配した基板を対向させるとともに、この対向させた基板間に無機物を挟持した上記複数の画素からなり、この挟持した無機物に駆動電圧を印加することで発光させることを特徴とする請求項１記載の表示デバイス。
【請求項８】
列方向に並んだ複数のデータ線と行方向に並んだ複数のゲート線との交差部に接続された複数の画素からなる表示パネルと、上記表示パネルの列方向に連続して並んだ所定数の画素からなる画素群毎に、該表示パネルの各データ線に接続された画素に印加するための駆動電圧信号を順次供給するパネルドライバとが設けられたパネル基板を備える表示デバイスにおいて、
所定の走査方向に並んだ複数の画素データからなる表示データを入力する入力手段と、上記入力手段により入力される上記画素群を構成する各画素データを該画素群内で並び換えるデータ並び換え手段と、上記データ並び換え手段により並び換えた各画素データに応じた上記駆動電圧信号を上記画素群毎に生成する生成手段と、上記データ並び換え手段により並び換えられる画素データのデータ配列を制御する制御手段とが設けられた駆動ドライバ基板とを備え、
上記駆動ドライバ基板に設けられた上記生成手段により生成される駆動電圧信号を上記画素群毎に上記パネル基板へ伝送する複数の信号配線が並列して設けられた配線基板と、
上記表示パネルは、上記画素群を構成する画素と接続される各データ線が、互い違いに交差して該画素群を構成する各画素と接続される配線構造を有し、
上記制御手段は、上記走査方向に並んだ画素データから生成される駆動電圧信号が上記表示パネルの列方向に連続して並んだ各画素に印加されるように、上記表示パネルの配線構造に応じて、上記データ並び換え手段を制御する表示デバイス。
【請求項９】
列方向に並んだ複数のデータ線と行方向に並んだ複数のゲート線との交差部に接続された複数の画素からなる表示パネルと、上記表示パネルの列方向に連続して並んだ所定数の画素からなる画素群毎に、該表示パネルの各データ線に接続された画素に印加するための駆動電圧信号を順次供給するパネルドライバとが設けられたパネル基板を有する表示デバイスを備え、光源から放出した光を上記表示デバイスの表示パネルに入射させ、所定の走査方向に並んだ複数の画素データからなる表示データに応じて上記表示デバイスの表示パネルで変調した光を投写させる表示装置において、
上記表示デバイスは、
上記画素群を構成する上記表示データの各画素データを該画素群内で並び換えるデータ並び換え手段と、上記データ並び換え手段により並び換えた各画素データに応じた上記駆動電圧信号を上記画素群毎に生成する生成手段と、上記データ並び換え手段により並び換えられる画素データのデータ配列を制御する制御手段とが設けられた駆動ドライバ基板と、
上記駆動ドライバ基板に設けられた上記生成手段により生成される駆動電圧信号を上記画素群毎に上記パネル基板へ伝送する複数の信号配線が並列して設けられた配線基板とを有し、
上記パネル基板には、上記配線基板に設けられた複数の信号配線から伝送されてくる上記駆動電圧信号を上記パネルドライバに供給する複数の接続配線と、上記走査方向に並んだ画素データから生成される駆動電圧信号が上記表示パネル上の列方向に連続して並んだデータ線に供給されるように、上記制御手段により制御された画素データのデータ配列に応じて、上記接続配線に接続する上記信号配線を切り換える切換手段とが設けられている表示装置。
【請求項１０】
列方向に並んだ複数のデータ線と行方向に並んだ複数のゲート線との交差部に接続された複数の画素からなる表示パネルと、上記表示パネル上の列方向に連続して並んだ所定数の画素からなる画素群毎に、該表示パネルの各データ線に接続された画素に印加するための駆動電圧信号を順次供給するパネルドライバとが設けられたパネル基板を有する表示デバイスを備え、光源から放出される光を上記表示デバイスの表示パネルに入射させ、所定の走査方向に並んだ複数の画素データからなる表示データに応じて該表示パネルで変調した光を投写させる表示装置において、
上記表示デバイスは、
上記画素群を構成する上記表示データの各画素データを該画素群内で並び換えるデータ並び換え手段と、上記データ並び換え手段により並び換えた画素データに応じた上記駆動電圧信号を上記画素群毎に生成する生成手段と、上記データ並び換え手段により並び換えられる画素データのデータ配列を制御する制御手段とが設けられた駆動ドライバ基板と、
上記駆動ドライバ基板に設けられた上記生成手段により生成される駆動電圧信号を上記画素群毎に上記パネル基板へ伝送する複数の信号配線が並列して設けられた配線基板とを有し、
上記パネル基板には、上記配線基板に設けられた信号配線から伝送されてくる上記画素群毎に駆動電圧信号を上記パネルドライバに供給する複数の接続配線と、上記走査方向に並んだ画素データから生成される駆動電圧信号が上記表示パネルの列方向に連続して並んだ各画素に印加されるように、上記制御手段により制御された画素データのデータ配列に応じて、上記接続配線に接続する上記信号配線を切り換える切換手段とが設けられている表示装置。
【発明の詳細な説明】
【技術分野】
【０００１】
本発明は、表示パネルが設けられたパネル基板と、表示パネルを駆動する駆動手段が設けられた駆動ドライバ基板とを配線基板を介して接続した表示デバイス、及び、この表示デバイスが組み込まれた表示装置に関するものである。
【背景技術】
【０００２】
近年、反射型表示デバイスは、光透過型の表示デバイスに比べて光利用効率が高いため、プロジェクションシステムの高精細化、小型化、高輝度化が可能なディスプレイデバイスとして実用化されている。反射型表示デバイスの一例として、例えば、一方に透明電極を形成したガラス基板と、Ｃ−ＭＯＳ半導体回路からなるシリコン基板に駆動電極を配置した駆動素子基板とをガラス基板に対向させ、これら一対の基板間に液晶を注入した反射型液晶表示パネルを備えたものがある。
【０００３】
このような反射型液晶表示パネルは、ガラス基板上の透明電極と駆動素子基板上の駆動電極との間に電圧を加えることで液晶に電圧を印加する。このようにして電圧が印加された液晶は、その電圧値に応じて光学的な特性が変化し、ガラス基板側から入射した光を変調することで輝度が制御される。一般的に、反射型液晶表示パネルでは、列方向に並んだデータ線と、行方向に並んだゲート線との交差部に画素電極が行列配置されており、これらデータ線とゲート線と電気的に接続された駆動ドライバによって、各画素電極に印加する駆動電圧信号が供給される。
【０００４】
このような反射型表示デバイスが組み込まれた表示装置では、表示パネルへ光を供給させるための光学デバイス等も組み込む必要があるので、筐体内部に各デバイスを効率よく配置することが小型化を図るために必要となる。
【０００５】
筐体内部に各デバイスを効率よく配置するため、反射型表示デバイスは、上述した駆動ドライバが、反射型表示パネルが設けられたパネル基板に対して次のようにして外付けされる。すなわち、反射型表示デバイスでは、駆動ドライバが設けられた駆動ドライバ基板と、反射型表示パネルが設けられたパネル基板とを、駆動電圧信号を伝送するための信号線が複数設けられた配線基板を介して電気的に接続している。
【０００６】
このような配線基板には、柔軟性があり変形可能な信号配線が複数設けられたプリント基板（以下、フレキシブルプリント配線基板という。）が広く用いられている。
【０００７】
ところで、反射型表示デバイスでは、複数の駆動電圧信号を同時に出力する駆動ドライバの各出力端子間に出力偏差があるため、この出力偏差の影響によって表示パネル上に表示される各画素の輝度値にもバラツキが生じてしまい、結果として画質が劣化してしまう。
【０００８】
上述した駆動ドライバの各出力端子間の出力偏差による画質劣化を低減するためには、例えば次に示すような改善手法がある。
【０００９】
改善手法としては、駆動ドライバを製造する製造過程において、出力値を均一にする作業や、キャリブレーション作業などを行うことで、出力端子間の出力偏差を低減することができる。しかしながら、上述した改善方法により製造された駆動ドライバは、出力端子間の出力偏差を低減することができるが、製造コストが高くなってしまうという問題がある。
【００１０】
また、フレキシブルプリント配線基板に設けられた複数本の信号線は、それぞれ固有のインダクタンス成分を持っており、駆動ドライバから流れる電流によってそれぞれ異なる値の逆起電力が発生する。このインダクタンス量は、フレキシブルプリント配線基板内における信号線の位置によって異なる。例えば、信号配線の両端側にそれぞれ接地線が設けられているフレキシブルプリント配線基板には、基板内の中央に位置する信号線から外側に位置する信号線に向かってインダクタンス成分が単調に変化してしまう。
【００１１】
反射型表示デバイスでは、フレキシブルプリント配線基板の長さが数十［ｍｍ］以上になってくると、この基板内に設けられた各信号線のインダクタンスのバラツキによって表示される各画素の輝度値にもバラツキが生じてしまい、結果として画質がより劣化してしまう。
【００１２】
このようなフレキシブルプリント配線基板内の信号線のインダクタンスのバラツキによる画質劣化の低減を実現する発明が、特許文献１に記載されている。
【００１３】
特許文献１には、配線基板を経由した後のパネル基板内における信号線の配列を、配線基板内においてインダクタンス成分の影響が相対的に大きい信号線を経由した駆動電圧信号とインダクタンス成分の影響が相対的に小さい信号線を経由した駆動電圧信号とが、表示パネルの隣り合う画素に互い違いに供給されるように入れ替えた配線構造に係る発明が記載されている。
【００１４】
【特許文献１】特願２００６−３３６０５９
【発明の開示】
【発明が解決しようとする課題】
【００１５】
特許文献１に記載された発明では、フレキシブルプリント配線基板内の信号線のインダクタンス成分のバラツキによる画質の劣化を低減することはできるが、駆動ドライバの出力端子間の出力偏差による画質の劣化を低減することはできない。
【００１６】
本発明は、このような実情に鑑みて提案されたものであり、駆動ドライバの出力端子間の出力偏差、及び配線基板内の信号線のインダクタンス成分のバラツキによって表示される各画素の輝度値のバラツキを視認しにくくすることにより、画質の劣化を低減する表示デバイス、及び、この表示デバイスが組み込まれた表示装置を提供することを目的とする。
【課題を解決するための手段】
【００１７】
上述した課題を解決するための手段として、本発明に係る表示デバイスは、列方向に並んだ複数のデータ線と行方向に並んだ複数のゲート線との交差部に接続された複数の画素からなる表示パネルと、上記表示パネル上の列方向に連続して並んだ所定数の画素からなる画素群毎に、該表示パネルの各データ線に接続された画素に印加するための駆動電圧信号を順次供給するパネルドライバとが設けられたパネル基板を備える表示デバイスであって、所定の走査方向に並んだ複数の画素データからなる表示データを入力する入力手段と、上記入力手段により入力される上記画素群を構成する各画素データを該画素群内で並び換えるデータ並び換え手段と、上記データ並び換え手段により並び換えた各画素データに応じた上記駆動電圧信号を上記画素群毎に生成する生成手段と、上記データ並び換え手段により並び換えられる画素データのデータ配列を制御する制御手段とが設けられた駆動ドライバ基板と、上記駆動ドライバ基板に設けられた上記生成手段により生成される駆動電圧信号を上記画素群毎に上記パネル基板へ伝送する複数の信号配線が並列して設けられた配線基板とを備え、上記パネル基板には、上記配線基板に設けられた複数の信号配線から伝送されてくる上記駆動電圧信号を上記パネルドライバに供給する複数の接続配線と、上記走査方向に並んだ画素データから生成される駆動電圧信号が上記表示パネルの列方向に連続して並んだデータ線に供給されるように、上記制御手段により制御された画素データのデータ配列に応じて、上記接続配線に接続する上記信号配線を切り換える切換手段とが設けられている。
【００１８】
また、本発明に係る表示デバイスは、列方向に並んだ複数のデータ線と行方向に並んだ複数のゲート線との交差部に接続された複数の画素からなる表示パネルと、上記表示パネルの列方向に連続して並んだ所定数の画素からなる画素群毎に、該表示パネルの各データ線に接続された画素に印加するための駆動電圧信号を順次供給するパネルドライバとが設けられたパネル基板を備える表示デバイスであって、所定の走査方向に並んだ複数の画素データからなる表示データを入力する入力手段と、上記入力手段により入力される上記画素群を構成する各画素データを該画素群内で並び換えるデータ並び換え手段と、上記データ並び換え手段により並び換えた各画素データに応じた上記駆動電圧信号を上記画素群毎に生成する生成手段と、上記データ並び換え手段により並び換えられる画素データのデータ配列を制御する制御手段とが設けられた駆動ドライバ基板とを備え、上記駆動ドライバ基板に設けられた上記生成手段により生成される駆動電圧信号を上記画素群毎に上記パネル基板へ伝送する複数の信号配線が並列して設けられた配線基板と、上記表示パネルは、上記画素群を構成する画素と接続される各データ線が、互い違いに交差して該画素群を構成する各画素と接続される配線構造を有し、上記制御手段は、上記走査方向に並んだ画素データから生成される駆動電圧信号が上記表示パネルの列方向に連続して並んだ各画素に印加されるように、上記表示パネルの配線構造に応じて、上記データ並び換え手段を制御する。
【００１９】
また、本発明に係る表示装置は、列方向に並んだ複数のデータ線と行方向に並んだ複数のゲート線との交差部に接続された複数の画素からなる表示パネルと、上記表示パネルの列方向に連続して並んだ所定数の画素からなる画素群毎に、該表示パネルの各データ線に接続された画素に印加するための駆動電圧信号を順次供給するパネルドライバとが設けられたパネル基板を有する表示デバイスを備え、光源から放出した光を上記表示デバイスの表示パネルに入射させ、所定の走査方向に並んだ複数の画素データからなる表示データに応じて上記表示デバイスの表示パネルで変調した光を投写させる表示装置であって、上記表示デバイスは、上記画素群を構成する上記表示データの各画素データを該画素群内で並び換えるデータ並び換え手段と、上記データ並び換え手段により並び換えた各画素データに応じた上記駆動電圧信号を上記画素群毎に生成する生成手段と、上記データ並び換え手段により並び換えられる画素データのデータ配列を制御する制御手段とが設けられた駆動ドライバ基板と、上記駆動ドライバ基板に設けられた上記生成手段により生成される駆動電圧信号を上記画素群毎に上記パネル基板へ伝送する複数の信号配線が並列して設けられた配線基板とを有し、上記パネル基板には、上記配線基板に設けられた複数の信号配線から伝送されてくる上記駆動電圧信号を上記パネルドライバに供給する複数の接続配線と、上記走査方向に並んだ画素データから生成される駆動電圧信号が上記表示パネル上の列方向に連続して並んだデータ線に供給されるように、上記制御手段により制御された画素データのデータ配列に応じて、上記接続配線に接続する上記信号配線を切り換える切換手段とが設けられている。
【００２０】
また、本発明に係る表示装置は、列方向に並んだ複数のデータ線と行方向に並んだ複数のゲート線との交差部に接続された複数の画素からなる表示パネルと、上記表示パネル上の列方向に連続して並んだ所定数の画素からなる画素群毎に、該表示パネルの各データ線に接続された画素に印加するための駆動電圧信号を順次供給するパネルドライバとが設けられたパネル基板を有する表示デバイスを備え、光源から放出される光を上記表示デバイスの表示パネルに入射させ、所定の走査方向に並んだ複数の画素データからなる表示データに応じて該表示パネルで変調した光を投写させる表示装置であって、上記表示デバイスは、上記画素群を構成する上記表示データの各画素データを該画素群内で並び換えるデータ並び換え手段と、上記データ並び換え手段により並び換えた画素データに応じた上記駆動電圧信号を上記画素群毎に生成する生成手段と、上記データ並び換え手段により並び換えられる画素データのデータ配列を制御する制御手段とが設けられた駆動ドライバ基板と、上記駆動ドライバ基板に設けられた上記生成手段により生成される駆動電圧信号を上記画素群毎に上記パネル基板へ伝送する複数の信号配線が並列して設けられた配線基板とを有し、上記パネル基板には、上記配線基板に設けられた信号配線から伝送されてくる上記画素群毎に駆動電圧信号を上記パネルドライバに供給する複数の接続配線と、上記走査方向に並んだ画素データから生成される駆動電圧信号が上記表示パネルの列方向に連続して並んだ各画素に印加されるように、上記制御手段により制御された画素データのデータ配列に応じて、上記接続配線に接続する上記信号配線を切り換える切換手段とが設けられている。
【発明の効果】
【００２１】
本発明では、表示デバイスのドライバ基板側で、制御手段が、データ並び換え手段により並び換えられる画素データのデータ配列を制御し、表示デバイスのパネル基板側で、切換手段が、走査方向に並んだ画素データから生成される駆動電圧信号が表示パネルの列方向に連続して並んだデータ線に供給されるように、制御手段により制御された画素データのデータ配列に応じて、接続配線に接続する信号配線を切り換えるので、生成手段で同時に生成される駆動電圧信号間に生じる出力偏差、及び配線基板内の信号配線のインダクタンス成分のバラツキによって表示される各画素の輝度値のバラツキを視認しにくくすることによって、画質の劣化を低減することができる。
【００２２】
また、本発明では、表示デバイスの表示パネルが、画素群を構成する画素と接続される各データ線が、互い違いに交差して該画素群を構成する各画素と接続される配線構造を有しており、表示パネルの駆動ドライバ側で、制御手段が、走査方向に並んだ画素データから生成される駆動電圧信号が表示パネルの列方向に連続して並んだ各画素に印加されるように、表示パネルの配線構造に応じて、データ並び換え手段を制御するので、生成手段で同時に生成される駆動電圧信号間に生じる出力偏差、及び配線基板内の信号配線のインダクタンス成分のバラツキによって表示される各画素の輝度値のバラツキを視認しにくくすることによって、画質の劣化を低減することができる。
【発明を実施するための最良の形態】
【００２３】
以下、本発明を実施するための最良の形態について、図面を参照しながら詳細に説明する。
【００２４】
本発明が適用された表示装置は、表示パネルが設けられたパネル基板と、表示パネルを駆動する駆動ドライバが設けられた駆動ドライバ基板とが配線基板を介して接続された表示デバイスが組み込まれた投写型表示装置である。以下では、このような表示デバイスの一例として、反射型液晶表示デバイスを用いて、本発明を実施するための最良の形態を説明する。
【００２５】
図１は、反射型液晶デバイスが組み込まれた投写型表示装置１の構成を模式的に示した図である。
【００２６】
投写型表示装置１は、スクリーン２０上に表示データに応じた映像を表示するため、放電ランプ１１から放出される光を赤色、緑色、及び青色の三原色に分離し、それぞれの色に対して液晶表示パネルが設けられた表示デバイスを３つ用い、分離した三原色に変調処理を施して、カラー映像表示を行う三板式の投写光学系である。
【００２７】
投写型表示装置１は、放電ランプ１１から放出される光のうち赤色光を表示データに応じて変調する表示デバイス２Ｒと、放電ランプ１１から放出される光のうち緑色光を表示データに応じて変調する表示デバイス２Ｇと、放電ランプ１１から放出される光のうち青色光を表示データに応じて変調する表示デバイス２Ｂとを備える。
【００２８】
また、投写型表示装置１は、各表示デバイス２Ｒ、２Ｇ、２Ｂにそれぞれ赤色光、緑色光、及び青色光を入射させるために、次のような光学素子を備えている。
【００２９】
すなわち、投写型表示装置１は、放電ランプ１１から放出される光を略平行光にするリフレクタ１２と、リフレクタ１２により略平行光にされた光を集光する集光レンズ１３と、集光レンズ１３により集光された光から青色光を分離するダイクロイックミラー１４１と、ダイクロイックミラー１４１により青色光が色分離された他の色成分の光を反射する反射ミラー１４２と、反射ミラー１４２により反射された光から赤色光と緑色光とに分離するダイクロイックミラー１４３とを備えている。また、投写型表示装置１は、ダイクロイックミラー１４１により色分離された青色光を光軸に対して９０°曲げて表示デバイス２Ｂの表示パネル上に入射させるとともにこの液晶表示パネルにより変調された反射光を透過させる偏光ビームスプリッター１５Ｂと、ダイクロイックミラー１４３により色分離された緑色光を光軸に対して９０°曲げて表示デバイス２Ｇの表示パネルに入射させるとともにこの表示パネルにより変調された反射光を透過させる偏光ビームスプリッター１５Ｇと、ダイクロイックミラー１４３により色分離された赤色光を光軸に対して９０°曲げて表示デバイス２Ｒの表示パネルに入射させるとともにこの液晶表示パネルにより変調された反射光を透過させる偏光ビームスプリッター１５Ｒと、各偏光ビームスプリッター１５Ｂ、１５Ｇ、１５Ｒをそれぞれ透過した青色光、緑色光、及び赤色光を合成するクロスプリズム１７と、クロスプリズム１７により合成されたカラー映像をスクリーン２０に投写させる投写レンズ１８とを備えている。
【００３０】
放電ランプ１１は、カラー映像を表示するために必要な赤色光、緑色光、及び青色光を含んだ白色光を放射する光源である。放電ランプ１１は、例えば、超高圧水銀ランプ、ハロゲンランプ、メタルハライドランプやキセノンランプ等により構成されている。
【００３１】
リフレクタ１２は、放電ランプ１１から放射された光を反射、及び集光することにより略平行光にする光学素子から構成されている。
【００３２】
集光レンズ１３は、リフレクタ１２により略平行光にされた光をダイクロイックミラー１４１へ集光する。
【００３３】
ダイクロイックミラー１４１は、集光レンズ１３により集光された白色光のうち、青色光を反射させるとともに、青色光以外の光すなわち緑色光と赤色光とが合成されている光を透過する。
【００３４】
反射ミラー１４２は、ダイクロイックミラー１４１を透過した光を反射させる。
【００３５】
ダイクロイックミラー１４３は、反射ミラー１４２により反射された光のうち、緑色光を反射させ赤色光を透過する。
【００３６】
偏光ビームスプリッター１５Ｂは、ダイクロイックミラー１４１により反射された青色光を光軸に対して９０°曲げて表示デバイス２Ｂの表示パネルに入射させる。また、偏光ビームスプリッター１５Ｂは、表示デバイス２Ｂの表示パネルから反射されてくる変調処理が施された青色光を透過する。
【００３７】
偏光ビームスプリッター１５Ｇは、ダイクロイックミラー１４３により反射された緑色光を光軸に対して９０°曲げて表示デバイス２Ｇの表示パネルに入射させる。また、偏光ビームスプリッター１５Ｂは、表示デバイス２Ｇの表示パネルから反射されてくる変調処理が施された緑色光を透過する。
【００３８】
偏光ビームスプリッター１５Ｒは、ダイクロイックミラー１４３により反射された赤色光を光軸に対して９０°曲げて表示デバイス２Ｒの表示パネルに入射させる。また、偏光ビームスプリッター１５Ｒは、表示デバイス２Ｒの表示パネルから反射されてくる変調処理が施された赤色光を透過する。
【００３９】
表示デバイス２Ｂは、後述する駆動ドライバで表示データに応じた駆動電圧を生成し、生成した駆動電圧に応じて表示パネルを駆動することにより、偏光ビームスプリッター１５Ｂから入射される青色光に変調処理を施して反射させる。
【００４０】
表示デバイス２Ｇは、後述する駆動ドライバで表示データに応じた駆動電圧を生成し、生成した駆動電圧に応じて表示パネルを駆動することにより、偏光ビームスプリッター１５Ｇから入射される緑色光に変調処理を施して反射させる。
【００４１】
表示デバイス２Ｒは、後述する駆動ドライバで表示データに応じた駆動電圧を生成し、生成した駆動電圧に応じて表示パネルを駆動することにより、偏光ビームスプリッター１５Ｒから入射される赤色光に変調処理を施して反射させる。
【００４２】
クロスプリズム１７は、各偏光ビームスプリッター１５Ｂ、１５Ｇ、１５Ｒをそれぞれ透過した青色光、緑色光、及び赤色光を合成して、合成したカラー映像を投写レンズ１８に入射させる。
【００４３】
投写レンズ１８は、クロスプリズム１７により入射されたカラー映像をスクリーン２０に投写させる。
【００４４】
また、投写型表示装置１は、赤色信号、緑色信号、青色信号に応じた各表示データと、各デバイス間での動作の同期をとるための制御データを、各表示デバイス２Ｒ、２Ｇ、２Ｂに供給する映像信号処理部１９を備えている。
【００４５】
以上のような構成を備える投写型表示装置１において、表示デバイス２Ｒ、２Ｇ、２Ｂ（以下、総称して表示デバイス２）は、筐体内のスペースを効率よく用いるために、図２に示すように、駆動電圧信号を生成する駆動ドライバが設けられたドライバ基板３と、駆動ドライバから出力される駆動電圧信号を伝送するための信号配線が複数設けられた配線基板４と、配線基板４に設けられた信号配線を介して伝送されてきた駆動電圧信号に応じて入射された光に変調処理を施す複数の画素が配列された表示パネルが設けられたパネル基板５とから構成される。すなわち、表示デバイス２では、駆動ドライバと表示パネルとがそれぞれ別の基板上に設けられた構成となっている。
【００４６】
各表示デバイス２のドライバ基板３には、赤色信号、緑色信号、又は青色信号を変調するための表示データが映像信号処理部１９から入力され、この入力された表示データに応じて表示パネルを駆動するための駆動電圧信号を生成して、配線基板４に設けられた信号配線へ出力する。
【００４７】
配線基板４は、柔軟性があり変形可能な信号配線が複数設けられたプリント基板であって、ドライバ基板３に設けられた駆動ドライバから出力される駆動電圧信号をパネル基板５へ伝送する。
【００４８】
パネル基板５には、図３に示すように、列方向Ｈに並んだ複数のデータ線と行方向Ｖに並んだ複数のゲート線との交差部に接続された複数の画素からなる表示パネル５１と、この表示パネル５１の各データ線へ印加する電圧を制御するデータ線ドライバ５２と、表示パネル５１の各ゲート線の駆動を制御するゲート線ドライバ５３とが設けられている。
【００４９】
表示パネル５１は、たとえば図３に示すように、列方向Ｈに２４画素、行方向Ｖに１０画素の画サイズの映像を表示するパネルである。表示パネル５１では、列方向Ｈに並んだ複数のデータ線と行方向Ｖに並んだ複数のゲート線との交差部に行列配置された各画素が入射光に変調処理を施す。
【００５０】
データ線ドライバ５２は、表示パネル５１の同一ゲート線に並んだ複数の画素に印加する電圧値を同時に更新するため、表示パネル５１の列方向Ｈに並んだ所定数の画素からなる画素群毎に駆動信号をデータ線に順次供給する。具体的に、データ線ドライバ５２は、表示パネル５１に並んだ２４列のデータ線のうち６列のデータ線を順次選択して、選択した６列のデータ線に対して同時に駆動電圧信号を供給する。
【００５１】
ゲート線ドライバ５３は、表示パネル５１に並んだ１０行のゲート線のうち、データを更新する行のみに電圧を印加する。
【００５２】
データ線ドライバ５２と、ゲート線ドライバ５３とによって、表示パネル５１では、図３の破線で囲まれた６つの画素からなる画素群毎にデータが順次書き込まれる。なお、画素群は６つの画素からなる場合に限定されることなく、たとえば２４画素単位、又は４８画素単位で構成されるようにしてもよい。
【００５３】
以上のような構成からなる表示デバイス２では、ドライバ基板３とパネル基板５とを柔軟性があり変形可能なプリント基板である配線基板４を介して接続しているため、投写型表示装置１の筐体内のスペースを効率的に用いて他のデバイスを組み込むことができる。
【００５４】
このような表示デバイス２では、駆動ドライバから同時に出力される駆動電圧信号間に出力偏差があり、配線基板４に設けられた複数本の信号配線のインダクタンス成分にバラツキがある。ここで、輝度の値が０であることを示す画素データに応じた駆動電圧の電圧レベルを基準電圧レベルとすると、表示デバイス２では、表示パネル５１の各画素に印加される駆動電圧値の基準電圧レベルに偏差が生じてしまうため、スクリーン２０上に表示される映像を構成する各画素の輝度値にもバラツキが生じてしまう。
【００５５】
以下では、このような輝度値のバラツキを見えにくくすることによって画質の劣化を低減する表示デバイス２の構成と動作に注目して説明する。
【００５６】
図４は、ドライバ基板３、配線基板４、パネル基板５に設けられている構成を模式的に示した図である。
【００５７】
ドライバ基板３には、表示データを入力するデータ入力部３１と、データ入力部３１により入力される表示データを構成する各画素データのデータ配列を並び換える並び換え処理部３２と、並び換え処理部３２により並び換えた各画素データに応じた駆動電圧信号を生成する駆動ドライバ３３と、これらの処理部の動作を制御する制御部３４が設けられている。
【００５８】
データ入力部３１は、映像信号処理部１９から、赤色信号、緑色信号、又は青色信号のいずれかの色信号に応じた表示データが入力される。また、データ入力部３１には、表示パネルの駆動を制御するための制御データが入力される。
【００５９】
表示データは、走査方向に並んだ複数の画素データから構成されている。また、制御データは、表示デバイス２Ｒ、２Ｇ、２Ｂで同期をとるためのデータであって、表示する１フレーム内の画像に対して水平方向（列方向）に同期を図る水平同期信号と、フレーム間での同期を図る垂直同期信号とを含んで構成されている。
【００６０】
また、データ入力部３１は、入力した表示データを構成する画素データのうち、走査方向に並んだ複数の画素データを、６つの画素データを１組とした画素群毎に並び換え処理部３２に供給する。また、データ入力部３１は、入力した制御データを制御部３４に供給する。
【００６１】
並び換え処理部３２は、画素群を構成する各画素データを、この画素群内で並び換える。そして、並び換え処理部３２は、並び換えた画素データを画素群毎に駆動ドライバ３３へ供給する。なお、具体的な並び換え処理については後述する。
【００６２】
駆動ドライバ３３は、並び換え処理部３２から供給された各画素データに応じた駆動電圧信号を生成する。駆動ドライバ３３は、同時に６つの画素データに応じた駆動電圧信号を生成し、これら６つの駆動電圧信号をそれぞれ出力端子３３ａ、３３ｂ、３３ｃ、３３ｄ、３３ｅ、３３ｆから出力する。
【００６３】
制御部３４は、データ入力部３１から供給される制御データに応じて、並び換え処理部３２により並び換えられる画素データのデータ配列を変化させる。また、制御部３４は、配線基板４を介して、並び換え処理部３２により並び換えられるデータ配列を示す配列制御信号を、後述するパネル基板５に設けられた切換部５５に供給する。また、制御部３４は、配線基板４を介して、データ入力部３１から供給される制御データを、パネル基板５に設けられたデータ線ドライバ５２と、ゲート線ドライバ５３とに供給する。
【００６４】
次に、配線基板４には、ドライバ基板３に設けられた駆動ドライバ３３から生成された駆動信号を画素群毎にデータ線ドライバ５２へ伝送するための合計６本の信号配線４１、４２、４３、４５、４６と、制御部３４から出力される配列制御信号を後述するパネル基板５に設けられた切換部５５に伝送する信号配線４７と、制御部３４から出力される制御データを、パネル基板５に設けられているデータ線ドライバ及びゲート線ドライバ５３に伝送する信号配線４８とが設けられている。配線基板４は、たとえば図示しない２本の接地線が設けられており、これらの２本の接地線の間に、信号配線４１〜４８が設けられている。
【００６５】
次に、パネル基板５には、上述した表示パネル５１と、データ線ドライバ５２と、ゲート線ドライバ５３とに加えて、配線基板４に設けられた６本の信号配線４１〜４６から伝送されてくる駆動電圧信号をデータ線ドライバ５２に供給する６本の接続配線５４１、５４２、５４３、５４４、５４５、５４６と、配線基板４に設けられた信号配線４１〜４６に接続する接続配線５４１〜５４６を切り換える配線切換部５５とを設けている。
【００６６】
データ線ドライバ５２は、上述したように６画素を１組とした画素群毎に駆動電圧信号を表示パネル５１の６本のデータ線に供給するため、次のような構成を備えている。すなわち、データ線ドライバ５２は、図４に示すように、各画素群に接続されたデータ線と接続配線５４１〜５４６との接続を切り換える合計４つのデータ線切換部５２１、５２２、５２３、５２４と、データ線切換部５２１〜５２４の動作を制御するデータ線切換制御部５２５とを備えている。
【００６７】
データ線切換部５２１〜５２４は、表示パネル５１内に配列されている合計２４本のデータ線を４分割した６本１組のデータ線とそれぞれ接続されている。また、各データ線切換部５２１〜５２４は、データ線切換制御部５２５からの制御信号が供給されたとき、接続配線５４１〜５４６を介して同時に供給される６つの駆動電圧信号を各データ線に供給する。
【００６８】
データ線切換制御部５２５は、配線基板４に設けられている信号配線４８を介して伝送されてくる制御データの水平同期信号に基づいて駆動電圧信号を供給するデータ線を選択して、選択したデータ線に応じたデータ線切換部５２１〜５２４に対して制御信号を供給する。
【００６９】
また、ゲート線ドライバ５３は、配線基板４に設けられている信号配線４８を介して伝送されてくる制御データの水平同期信号、及び垂直同期信号に基づいて、合計１０本のゲート線のうち、駆動電圧を更新する画素が並んだ１本のゲート線のみをデータ線と電気的に接続させて、画素に駆動電圧を印加する。
【００７０】
また、合計６本の接続配線５４１〜５４６は、それぞれ一端が配線切換部５５と接続されており、他端がデータ線ドライバ５２と接続されている。
【００７１】
また、配線切換部５５は、配線基板４に設けられた信号配線４７から伝送されてくる配列制御信号に応じて、配線基板４に設けられた信号配線４１〜４６と、接続配線５４１〜５４６との接続を切り換える。また、配線切換部５５は、初期設定として、信号配線４１と接続配線５４１を接続し、信号配線４２と接続配線５４２とを接続し、信号配線４３と接続配線５４３とを接続し、信号配線４４と接続配線５４４とを接続し、信号配線４５と接続配線５４５とを接続し、信号配線４６と接続配線５４６とを接続している。
【００７２】
以上のような構成を備える表示デバイス２では、配線基板４に設けられた６本の信号配線４１〜４６が、それぞれ固有のインダクタンス成分を持っている。たとえば、配線基板４において、２本の接地線の間に６本の信号配線４１〜４６を順番に並べて配置したとき、信号配線４１〜４６のそれぞれ固有のインダクタンスは、図５（Ａ）に示すように、中央に位置する信号配線４３、４４で極大となり、接地線が設けられている端部に向かって単調に変化する特徴がある。
【００７３】
また、表示デバイス２において、データ並び換え処理部３２でデータ配列を画素データの走査方向に対して並び換えないで駆動信号を生成したとき、信号配線４１と接続配線５４１とが接続され、信号配線４２と接続配線５４２とが接続され、信号配線４３と接続配線５４３とが接続され、信号配線４４と接続配線５４４とが接続され、信号配線４５と接続配線５４５とが接続され、信号配線４６と接続配線５４６とが接続される。
【００７４】
このとき、接続配線５４１〜５４６には、上述したインダクタンス成分のバラツキに加えて、駆動ドライバ３３の各出力端子３３ａ、３３ｂ、３３ｃ、３３ｄ、３３ｅ、３３ｆにも出力偏差が生じるため、図５（Ｂ）に示すように、接続配線５４１〜５４６で伝送される駆動電圧信号の基準電圧レベルに偏差が生じてしまう。このため、表示パネル５１では、図６に示すように、１つの画素群毎に輝度の明暗を切り返す輝度ムラをスクリーン２０上に表示させる光変調処理を入射光に施してしまう。
【００７５】
そこで、表示デバイス２では、次に示すような処理を制御部３４が行うことによって、図７に示すように、パネル基板５側に同時に供給された駆動電圧信号の基準電圧レベルの偏差によって生じる輝度ムラの間隔を短くすることにより視覚特性上輝度ムラを見えにくくして、画質劣化の低減を図る。
【００７６】
具体的に、表示デバイス２では、輝度ムラの間隔を短くするため、たとえば、第１の制御方法として、制御部３４が、データ並び換え処理部３２により並び換えられる画素データのデータ配列を変化させるとともに、このデータ配列に応じた配列制御信号を配線切換部５５に供給する処理を行う。
【００７７】
データ入力部３１は、入力した表示データのうち、走査方向に連続して並んだ６つの画素データＤ１１、Ｄ１２、Ｄ１３、Ｄ１４、Ｄ１５、Ｄ１６からなる画素群データＢ１１をデータ並び換え処理部３２に供給する。
【００７８】
データ並び換え処理部３２は、データ入力部３１から供給されたＤ１１、Ｄ１２、Ｄ１３、Ｄ１４、Ｄ１５、Ｄ１６の順番に並んだ画素群データＢ１１に対して、制御部３４からの制御命令に従い、図８（Ａ）に示すように、６つの画素データをＤ１２、Ｄ１３、Ｄ１１、Ｄ１６、Ｄ１４、Ｄ１５の順番に並び換えた画素群データＢ１２を駆動ドライバ３３に供給する。
【００７９】
駆動ドライバ３３では、データ並び換え処理部３２から供給される画素群データＢ１２の各画素データに応じた駆動電圧信号を生成して、出力端子３３ａ、３３ｂ、３３ｃ、３３ｄ、３３ｅ、３３ｆからそれぞれ出力する。具体的に、駆動ドライバ３３は、出力端子３３ａから画素データＤ１２に応じた駆動電圧信号Ｓ１２を信号配線４１へ出力し、出力端子３３ｂから画素データＤ１３に応じた駆動電圧信号Ｓ１３を信号配線４２へ出力し、出力端子３３ｃから画素データＤ１１に応じた駆動電圧信号Ｓ１１を信号配線４３へ出力し、出力端子３３ｄから画素データＤ１６に応じた駆動電圧信号Ｓ１６を信号配線４４へ出力し、出力端子３３ｅから画素データＤ１４に応じた駆動電圧信号Ｓ１４を信号配線４５へ出力し、出力端子３３ｆから画素データＤ１５に応じた駆動電圧信号Ｓ１５を信号配線４６へ出力する。
【００８０】
また、配線切換部５５では、制御部３４から信号配線４７を介して伝送されてくる配列制御信号に従い、配線基板４に設けられた信号配線４１、４２、４３、４４、４５、４６を、図８（Ｂ）に示すように、それぞれパネル基板５に設けられた接続配線５４２、５４３、５４１、５４６、５４５、５４４に接続する。このように配線切換部５５が配線の接続を行うことによって、接続配線５４１、５４２、５４３、５４４、５４５、５４６には、それぞれ駆動電圧信号Ｓ１１、Ｓ１２、Ｓ１３、Ｓ１４、Ｓ１５、Ｓ１６が供給される。
【００８１】
このようにして、配線切換部５５は、走査方向に並んだ画素データから生成される駆動電圧信号が表示パネル５１の列方向に連続して並んだデータ線に供給されるように、各信号配線４１〜４６と、各接続配線５４１〜５４６とを切り換えて接続する。
【００８２】
表示パネル５１では、走査方向に並んだ画素データに応じた駆動電圧信号が、各画素に印加される。このとき、駆動電圧信号Ｓ１１、Ｓ１２、Ｓ１３、Ｓ１４、Ｓ１５、Ｓ１６は、それぞれ配線基板４に設けられた信号配線４３、４２、４１、４５、４６、４４を介して伝送されるため、上述した配線基板４におけるインダクタンス成分のバラツキに応じて、表示パネル５１に供給されるとき、図８（Ｃ）に示すように、駆動電圧信号の基準電圧レベルに偏差が生じる。すなわち、図８（Ｃ）に示すように、各画素群の駆動電圧信号には、駆動電圧信号Ｓ１２、Ｓ１５においてピークを有する偏差が生じる。このような偏差が画素群毎に生じるため、表示デバイス２では、図７に示すように、パネル基板５側に同時に供給された駆動電圧信号の基準電圧レベルの偏差によって生じる輝度ムラの間隔を画素群の間隔に対して短くすることにより視覚特性上輝度ムラを見えにくくして、画質劣化の低減を図ることができる。
【００８３】
また、表示デバイス２では、具体的には次に示すような第２の制御方法により、図７に示した輝度ムラに対して位相が反転した図９に示すような輝度ムラを表示パネル５１に生じさせ、視覚特性上輝度ムラを見えにくくして、画質劣化の低減を図ることができる。
【００８４】
データ入力部３１は、入力した表示データのうち、走査線方向に連続して並んだ６つの画素データＤ２１、Ｄ２２、Ｄ２３、Ｄ２４、Ｄ２５、Ｄ２６からなる画素群データＢ２１をデータ並び換え処理部３２に供給する。
【００８５】
データ並び換え処理部３２は、データ入力部３１から供給されたＤ２１、Ｄ２２、Ｄ２３、Ｄ２４、Ｄ２５、Ｄ２６からなる画素群データＢ２１に対して、制御部３４からの制御命令に従い、図１０（Ａ）に示すように、６つの画素データをＤ２２、Ｄ２１、Ｄ２３、Ｄ２４、Ｄ２６、Ｄ２５の順番に並び換えた画素群データＢ２２を駆動ドライバ３３に供給する。
【００８６】
そして、駆動ドライバ３３では、データ並び換え処理部３２から供給される画素群データＢ２２の各画素データに応じた駆動電圧信号を生成して、出力端子３３ａ、３３ｂ、３３ｃ、３３ｄ、３３ｅ、３３ｆからそれぞれ出力する。具体的に、駆動ドライバ３３は、出力端子３３ａから画素データＤ２２に応じた駆動電圧信号Ｓ２２を信号配線４１に出力し、出力端子３３ｂから画素データＤ２１に応じた駆動電圧信号Ｓ２１を信号配線４２に出力し、出力端子３３ｃから画素データＤ２３に応じた駆動電圧信号Ｓ２３を信号配線４３に出力し、出力端子３３ｄから画素データＤ２４に応じた駆動電圧信号Ｓ２４を信号配線４４に出力し、出力端子３３ｅから画素データＤ２６に応じた駆動電圧信号Ｓ２６を信号配線４５に出力し、出力端子３３ｆから画素データＤ２５に応じた駆動電圧信号Ｓ２５を信号配線４６に出力する。
【００８７】
また、配線切換部５５では、制御部３４から信号配線４７を介して伝送されてくる配列制御信号に従い、配線基板４に設けられた信号配線４１、４２、４３、４４、４５、４６を、図１０（Ｂ）に示すように、それぞれパネル基板５に設けられた接続配線５４２、５４１、５４３、５４４、５４６、５４５に接続する。このように配線切換部５５が配線の接続を行うことによって、接続配線５４１、５４２、５４３、５４４、５４５、５４６には、それぞれ駆動電圧信号Ｓ２１、Ｓ２２、Ｓ２３、Ｓ２４、Ｓ２５、Ｓ２６が供給される。
【００８８】
このようにして、配線切換部５５は、走査方向に並んだ画素データから生成される駆動電圧信号が表示パネル５１の列方向に連続して並んだデータ線に供給されるように、各信号配線４１〜４６と、各接続配線５４１〜５４６とを切り換えて接続する。
【００８９】
表示パネル５１では、走査方向に並んだ画素データに応じた駆動電圧信号が、各画素に印加される。このとき、駆動電圧信号Ｓ２１、Ｓ２２、Ｓ２３、Ｓ２４、Ｓ２５、Ｓ２６は、それぞれ配線基板４に設けられた信号配線４２、４１、４３、４４、４６、４５を介して伝送されるため、上述した配線基板４におけるインダクタンス成分のバラツキに応じて、表示パネル５１上の各画素に印加されるとき、図１０（Ｃ）に示すように、駆動電圧信号の基準電圧レベルに偏差が生じる。すなわち、図１０（Ｃ）に示すように、各画素群の駆動電圧信号には、Ｓ２１、Ｓ２３、Ｓ２４でピークを有する偏差が生じる。このような偏差が各画素群において生じるため、表示デバイス２では、図９に示すように、パネル基板５側に同時に伝送された駆動電圧信号の基準電圧レベルの偏差によって生じる輝度ムラの間隔を、画素群の間隔に対して短くすることにより視覚特性上ムラを見えにくくして、画質劣化の低減を図ることができる。
【００９０】
以上のように、第１の制御方法及び第２の制御方法により、表示デバイス２では、ドライバ基板３側で、制御部３４が、データ並び換え処理部３２により並び換えられる画素データのデータ配列を制御し、パネル基板５側で、配線切換部５５が、データ線ドライバ５２によって走査方向に並んだ画素データから生成される駆動電圧信号を表示パネル５１の列方向に連続して並んだデータ線に供給されるように、制御部３４により制御された画素データのデータ配列に応じて、接続配線５４１〜５４６に接続する信号配線４１〜４６を切り換えるので、駆動ドライバ３３で同時に生成される駆動電圧信号間での出力偏差、及び配線基板４内の信号配線４１〜４６のインダクタンス成分のバラツキによって表示される各画素の輝度値のバラツキを、視認しにくくすることによって、画質の劣化を低減することができる。
【００９１】
また、表示デバイス２では、制御部３４が、次に示すような第３の制御方法によって、パネル基板５側に同時に伝送された駆動電圧信号の基準電圧レベルの偏差によって生じる輝度ムラを、より見えにくくすることができる。
【００９２】
具体的に、制御部３４は、データ入力部３１から供給される制御データのうち、水平同期信号に同期して上述した第１の制御方法及び第２の制御方法を切り換える。すなわち、制御部３４は、データ並び換え処理部３２により並び換えるデータ配列を、表示パネル５１の行方向に連続して並んだ２４画素を１組とする画素列毎に変化させる。
【００９３】
表示デバイス２では、例えば図１１に示すように、表示パネル５１上の奇数番目のゲート線Ｖ１、Ｖ３、Ｖ５、Ｖ７、Ｖ９の画素列に対して第１の制御方法により輝度ムラを生じさせ、偶数番目のゲート線Ｖ２、Ｖ４、Ｖ６、Ｖ８、Ｖ１０の画素列に対して第２の制御方法により輝度ムラを生じさせる。このようにして、表示デバイス２では、隣接した画素列毎に、位相が異なる輝度ムラを生じさせるように表示パネル５１を駆動することので、画素群毎に輝度ムラの間隔を短くする上述した第１及び第２の制御方法に比べて、さらに視覚特性上輝度ムラを見えにくくすることができ、画像劣化をより低減することができる。
【００９４】
さらに、表示デバイス２では、次に示すような第４の制御方法によって、パネル基板５側に同時に伝送された駆動電圧信号の基準電圧レベルの偏差によって生じる輝度ムラを、時間軸に対して拡散することでさらに見えにくくすることができる。
【００９５】
具体的に、制御部３４は、データ入力部３１から供給される制御データの水平同期信号及び垂直同期信号に同期して、上述した第１の制御方法及び第２の制御方法を切り換える。
【００９６】
制御部３４は、第１のフレーム画像において、図１２（Ａ）に示すように、水平同期信号に同期して、表示パネル５１上の奇数番目のゲート線に並んだ画素に対して第１の制御方法により輝度ムラを生じさせ、偶数番目のゲート線に対して第２の制御方法により輝度ムラを生じさせる。次に、制御部３４は、垂直同期信号に基づいて第１のフレームの時間的に次に位置する第２のフレーム画像において、図１２（Ｂ）に示すように、表示パネル５１上の奇数番目のゲート線に並んだ画素に対して第２の制御方法により輝度ムラを生じさせ、偶数番目のゲート線に並んだ画素に対して第１の制御方法により輝度ムラを生じさせる。
【００９７】
このようにして垂直同期信号に同期して、フレーム単位で表示パネル５１上に生じる輝度ムラを変化させることによって、表示デバイス２では、第３の制御方法に比べて輝度ムラをさらに視覚特性上見えにくくすることができ、画質劣化をより低減することができる。
【００９８】
ところで、上述した表示デバイス２では、配線切換部５５によって、配線基板４に設けられた信号配線４１〜４６に接続するパネル基板５に設けられた接続配線５４１〜５４６を切り換える動作を行っているが、配線切換部５５をパネル基板５に設けることなく、たとえば図１３に示すように、画素群を構成する画素と接続される各データ線が、互い違いに交差してこの画素群を構成する各画素と接続される配線構造からなる表示パネル６０を用いて、制御部３４が、このような配線構造に応じてデータ並び換え処理部３２により並び換えるデータ配列を制御することにより、輝度ムラを見えにくくすることができる。
【００９９】
ここでは、表示パネル６０の配線構造の一部の画素群、すなわち、図１３に示すような画素群６１を構成する画素に印加される駆動電圧信号に注目して説明する。
【０１００】
表示パネル６０では、図１３に示すように、画素群６１において、画素６１１がデータ線を介して接続配線５４３と接続され、画素６１２がデータ線を介して接続配線５４１と接続され、画素６１３がデータ線を介して接続配線５４２と接続され、画素６１４がデータ線を介して接続配線５４５と接続され、画素６１５がデータ線を介して接続配線５４６と接続され、画素６１６がデータ線を介して接続配線５４４と接続された配線構造となっている。以下では、このような画素群６１の配線構造に応じて、制御部３４が画素群毎に生じる輝度ムラの間隔を短くする処理を行う。
【０１０１】
例えば、データ入力部３１は、表示パネル６０の画素群６１を構成する各画素６１１、６１２、６１３、６１４、６１５、６１６に駆動電圧を印加するための、走査方向に連続して並んだ６つの画素データＤ３１、Ｄ３２、Ｄ３３、Ｄ３４、Ｄ３５、Ｄ３６からなる画素群データＢ３１を並び換え処理部３２に供給する。
【０１０２】
データ並び換え処理部３２は、データ入力部３１から供給されたＤ３１、Ｄ３２、Ｄ３３、Ｄ３４、Ｄ３５、Ｄ３６からなる画素群データＢ３１に対して、制御部３４からの制御命令に従い、図１４（Ａ）に示すように、６つの画素データをＤ３２、Ｄ３３、Ｄ３１、Ｄ３６、Ｄ３４、Ｄ３５の順番に並び換えた画素群データＢ３２を駆動ドライバ３３に供給する。
【０１０３】
駆動ドライバ３３では、データ並び換え処理部３２から供給される画素群データＢ３２の各画素データに応じた駆動電圧信号を生成して、出力端子３３ａ、３３ｂ、３３ｃ、３３ｄ、３３ｅ、３３ｆからそれぞれ出力する。具体的に、駆動ドライバ３３は、出力端子３３ａから画素データＤ３２に応じた駆動電圧信号Ｓ３２を信号配線４１に出力し、出力端子３３ｂから画素データＤ３３に応じた駆動電圧信号Ｓ３３を信号配線４２に出力し、出力端子３３ｃから画素データＤ３１に応じた駆動電圧信号Ｓ３１を信号配線４３に出力し、出力端子３３ｄから画素データＤ３６に応じた駆動電圧信号Ｓ３６を信号配線４４に出力し、出力端子３３ｅから画素データＤ３４に応じた駆動電圧信号Ｓ３４を信号配線４５に出力し、出力端子３３ｆから画素データＤ３５に応じた駆動電圧信号Ｓ３５を信号配線４６に出力する。
【０１０４】
パネル基板５では、接続配線５４１〜５４６のそれぞれが、配線基板４に設けられている各信号配線４１〜４６と固定して電気的に接続されている。よって、接続配線５４１、５４２、５４３、５４４、５４５、５４６には、それぞれ駆動電圧信号Ｓ３２、Ｓ３３、Ｓ３１、Ｓ３６、Ｓ３４、Ｓ３５が供給される。
【０１０５】
表示パネル６０では、画素群６１において、画素６１１がデータ線を介して接続配線５４３と接続され、画素６１２がデータ線を介して接続配線５４１と接続され、画素６１３がデータ線を介して接続配線５４２と接続され、画素６１４がデータ線を介して接続配線５４５と接続され、画素６１５がデータ線を介して接続配線５４６と接続され、画素６１６がデータ線を介して接続配線５４４と接続された配線構造となっている。したがって、画素群６１において、画素６１１、６１２、６１３、６１４、６１５、６１６には、それぞれ駆動電圧信号Ｓ３１、Ｓ３２、Ｓ３３、Ｓ３４、Ｓ３５、Ｓ３６が印加される。すなわち、表示パネル６０には、画素群６１を構成する各画素６１１〜６１６に対して、走査方向に連続して並んだ画素データに応じた駆動電圧が供給される。
【０１０６】
このようにして、制御部３４は、走査方向に並んだ画素データから生成される駆動電圧信号が表示パネル５１の列方向に連続して並んだ各画素に印加されるように、表示パネル５１の配線構造に応じて、データ並び換え処理部３２を制御する。
【０１０７】
このとき、駆動電圧信号Ｓ３１、Ｓ３２、Ｓ３３、Ｓ３４、Ｓ３５、Ｓ３６は、それぞれ配線基板４に設けられた信号配線４３、４１、４２、４５、４６、４４を介して伝送されるので、上述した配線基板４におけるインダクタンス成分のバラツキに応じて、表示パネル５１の画素群６１の各画素に駆動電圧信号が印加されるとき、図１４（Ｃ）に示すように、駆動電圧信号の基準電圧レベルに偏差が生じる。すなわち、図１４（Ｃ）に示すように、各画素群６１の各画素６１１〜６１６に供給される駆動電圧信号には、駆動電圧信号Ｓ３２、Ｓ３５でピークを有するような偏差が生じる。このような偏差が行方向に並んだ他の画素群においても生じるため、表示デバイス２では、上述した図７に示すように、パネル基板５側に同時に伝送された駆動電圧信号の基準電圧レベルの偏差によって生じる輝度ムラの間隔を画素群の間隔に対して短くすることにより、輝度ムラを見えにくくして、画質劣化の低減を図ることができる。
【０１０８】
また、図１３に示す表示パネル６０では、画素群毎に連続して並んだデータ線が行方向に対して互い違いに交差する位置が、ゲート線毎に異なる配線構造を有しており、このような配線構造に応じて制御部３４がデータ並び換え処理部３２で並び換えられるデータ配列を変化させることにより、例えば、奇数番目のゲート線上に並んだ画素群に生じさせる輝度ムラと、偶数番目のゲート線上に並んだ画素群に生じさせる輝度ムラの位相を略反転させることで、単に画素群毎に生じる輝度ムラの間隔を短くするよりも、効果的に視覚特性上輝度ムラを見えにくくすることで、画質劣化をより低減することができる。
【０１０９】
なお、本発明は、以下の実施形態のみに限定されるものではなく、本発明の要旨を逸脱しない範囲内において種々の変更が可能であることは勿論である。
【０１１０】
上述した実施形態においては、本発明を適用した表示デバイスは、次のような構成を有する液晶表示パネルを設けたものである。すなわち、液晶表示パネルは、少なくとも片側の基板が透明である２枚の電極を配した基板を対向させ、これら対向させた基板間に液晶を挟持し、この挟持した液晶に駆動電圧信号を印加することで、入射光に変調処理を施すものである。
【０１１１】
しかしながら、本発明を適用した表示デバイスは、液晶表示パネルに限定するものではなく、駆動電圧を生成する駆動ドライバと表示パネルとが配線基板を介して異なる基板上に設けられているデバイスであればよく、例えば、パネル基板上に電界電子放出型表示（Field Emission Display: ＦＥＤ）パネル、有機エレクトロルミネッセンス（Electroluminescence: ＥＬ）表示パネル、及び無機ＥＬ表示パネルが設けられたものでもよい。
【０１１２】
ここで、電界電子放出型表示パネルとは、蛍光体を塗布したアノード基板と、電界電子放出素子を有するカソード基板とを対向させるとともに、この対向させた基板間を真空にして、駆動電圧信号を印加したカソード基板から放出した電子により蛍光体を発光させるものである。
【０１１３】
また、有機ＥＬ表示パネルは、少なくとも片側の基板が透明である２枚の電極を配した基板を対向させるとともに、この対向させた基板間に有機物を挟持して、挟持した有機物に駆動電圧を印加することで発光させるものである。
【０１１４】
また、無機ＥＬ表示パネルは、少なくとも片側の基板が透明である２枚の電極を配した基板を対向させるとともに、この対向させた基板間に無機物を挟持して、挟持した無機物に駆動電圧を印加することで発光させるものである。
【図面の簡単な説明】
【０１１５】
【図１】投写型表示装置の全体構成を示した模式図である。
【図２】表示デバイスの外部形状の一例を示す斜視図である。
【図３】表示パネルの構成を示す模式図である。
【図４】表示デバイスの内部構成を示す模式図である。
【図５】図５（Ａ）は、配線基板に設けられた各信号配線のインダクタンスを示すグラフであり、図５（Ｂ）は、パネル基板に同時に伝送される駆動電圧信号の基準電圧レベルを示すグラフである。
【図６】スクリーン上に表示される映像上に生じる輝度ムラを示す図である。
【図７】第１の制御方法によって、スクリーン上に表示される映像上に生じる輝度ムラを示す図である。
【図８】図８（Ａ）は、第１の制御方法におけるデータ並び換え処理部に係る処理の説明に供する図であり、図８（Ｂ）は、第１の制御方法における配線切換部の係る処理の説明に供給する図であり、図８（Ｃ）は、パネル基板に同時に伝送される駆動電圧信号の基準電圧レベルを示すグラフである。
【図９】第３の制御方法によって、スクリーン上に表示される映像上に生じる輝度ムラを示す図である。
【図１０】図１０（Ａ）は、第２の制御方法におけるデータ並び換え処理部に係る処理の説明に供する図であり、図１０（Ｂ）は、第２の制御方法における配線切換部の係る処理の説明に供給する図であり、図１０（Ｃ）は、パネル基板に同時に伝送される駆動電圧信号の基準電圧レベルを示すグラフである。
【図１１】第３の制御方法によって、スクリーン上に表示される映像上に生じる輝度ムラを示す図である。
【図１２】第４の制御方法によって、スクリーン上に表示される映像上に生じる輝度ムラを示す図である。
【図１３】画素群を構成する画素と接続される各データ線が、互い違いに交差してこの画素群を構成する各画素と接続される配線構造からなる表示パネルを有する表示デバイスの内部構成を示す模式図である。
【図１４】図１４（Ａ）は、データ並び換え処理部に係る処理の説明に供する図であり、図１４（Ｂ）は、配線切換部の係る処理の説明に供給する図であり、図１４（Ｃ）は、表示パネルの複数のデータ線に同時に供給される各駆動電圧信号の基準電圧レベルを示すグラフである。
【符号の説明】
【０１１６】
１  投写型表示装置、１１  放電ランプ、１２  リフレクタ、１３  集光レンズ、１４１、１４３  ダイクロイックミラー、１４２  反射ミラー、１５Ｒ、１５Ｇ、１５Ｂ  偏光ビームスプリッター、１７  クロスプリズム、１８  投写レンズ、１９  映像信号処理部、２０  スクリーン、２、２Ｒ、２Ｇ、２Ｂ  表示デバイス、３  ドライバ基板、３１  データ入力部、３２並び換え処理部、３３  駆動ドライバ、３３ａ、３３ｂ、３３ｃ、３３ｄ、３３ｅ、３３ｆ  出力端子、３４  制御部、４  配線基板、４１、４２、４３、４４、４５、４６  信号配線、５  パネル基板、５１  表示パネル、５２  データ線ドライバ、５２１、５２２、５２３、５２４  データ線切換部、５２５  データ線切換制御部、５３  ゲート線ドライバ、５４１、５４２、５４３、５４４、５４５、５４６  接続配線、５５  配線切換部、６０  表示パネル、６１  画素群、６１１、６１２、６１３、６１４、６１５、６１６  画素
【図１】
2008299003.tif 000003
【図２】
2008299003.tif 000004
【図３】
2008299003.tif 000005
【図４】
2008299003.tif 000006
【図５】
2008299003.tif 000007
【図６】
2008299003.tif 000008
【図７】
2008299003.tif 000009
【図８】
2008299003.tif 000010
【図９】
2008299003.tif 000011
【図１０】
2008299003.tif 000012
【図１１】
2008299003.tif 000013
【図１２】
2008299003.tif 000014
【図１３】
2008299003.tif 000015
【図１４】
2008299003.tif 000016